(57)【要約】      （修正有）【課題】多数の監視カメラから画像形成装置を監視する好適な監視カメラを提供する。【解決手段】監視カメラを第一のモードに切り替え、そのうちから選択した監視カメラを第二のモードに移行させる。第二のモードにおいて、監視カメラは監視対象のデバイス情報を、当該デバイスからの情報の受信や、情報を示す画像の撮影により獲得し、監視カメラ情報とともに、監視対象のデバイスあるいはカメラ管理サーバーに通知する。デバイスあるいはカメラ管理サーバーは、受信した情報により監視カメラとデバイスとを関連付けてデバイス管理サーバーに送信すると、管理テーブルとして保存される。【選択図】図３
2015109613.tif 000002
【特許請求の範囲】
【請求項１】
監視カメラを第一のモードに切り替える切り替え手段と、
前記第一のモードの監視カメラのうち、選択された監視カメラを第二のモードに移行させる移行手段と、
監視対象のデバイスに関するデバイス情報と前記第二のモードの監視カメラに関するカメラ情報とに基づいて、前記監視カメラと当該監視カメラによる監視対象のデバイスとを関連付けた管理テーブルを作成して保存する管理手段と
を有することを特徴とする監視システム。
【請求項２】
前記切り替え手段は、前記監視システムに含まれる複数の監視カメラを前記第一のモードに移行させ、
前記移行手段は、特定のイベントにより前記第一のモードの監視カメラを前記第二のモードに移行させることを特徴とする請求項１に記載の監視システム。
【請求項３】
前記管理手段はさらに、前記第二のモードの監視カメラに対して、当該監視カメラの方向を含む設定を行い、前記設定に応じて前記監視カメラを制御することを特徴とする請求項２に記載の監視システム。
【請求項４】
前記監視対象のデバイスと前記監視カメラとは通信ネットワークで接続され、
前記切り替え手段は、前記監視対象のデバイスから前記監視カメラへの要求に応じて第一のモードに切り替え、
前記管理手段は、前記監視対象のデバイスから受信したデバイス情報と、前記監視カメラから受信したカメラ情報とに基づいて、前記管理テーブルを作成することを特徴とする請求項１乃至３のいずれか一項に記載の監視システム。
【請求項５】
前記監視カメラに監視対象を追尾させる追尾機能を有し、前記移行手段により前記第二のモードに移行してから前記設定が行われるまで、前記監視カメラを前記第二のモードに移行するための前記イベントを発生させた操作者を追尾することを特徴とする請求項３に記載の監視システム。
【請求項６】
前記イベントは、監視対象のデバイスのデバイス情報を示す画像の撮影であり、
前記切り替え手段は、前記監視カメラを管理するカメラ管理サーバーから前記監視カメラへの要求に応じて第一のモードに切り替え、
前記管理手段は、前記監視カメラにより撮影したデバイス情報と、前記監視カメラから受信したカメラ情報とに基づいて、前記管理テーブルを作成することを特徴とする請求項２または３に記載の監視システム。
【請求項７】
前記監視カメラに監視対象を追尾させる追尾機能を有し、前記移行手段により前記第二のモードに移行してから前記設定が行われるまで、前記監視カメラが撮影した前記特定の画像を追尾することを特徴とする請求項３に記載の監視システム。
【請求項８】
要求に応じて第一のモードに切り替える切り替え手段と、
特定のイベントの発生に応じて前記第一のモードから第二のモードに移行する移行手段と、
前記第二のモードにおいて監視対象のデバイスに関するデバイス情報を取得し、有しているカメラ情報とともに、前記監視カメラと当該監視カメラによる監視対象のデバイスとを関連付けた管理テーブルを作成するために管理手段に送信する手段と
を有することを特徴とする監視カメラ。
【請求項９】
前記デバイス情報を、前記監視対象のデバイスから受信した前記第一のモードへと切り替える要求から取得することを特徴とする請求項８に記載の監視カメラ。
【請求項１０】
前記デバイス情報を、前記特定のイベントである前記監視対象のデバイスのデバイス情報を示す画像の撮影により取得することを特徴とする請求項８に記載の監視カメラ。
【請求項１１】
監視カメラを第一のモードに切り替える切り替え工程と、
前記第一のモードの監視カメラのうち、選択された監視カメラを第二のモードに移行させる移行工程と、
監視対象のデバイスに関するデバイス情報と前記第二のモードの監視カメラに関するカメラ情報とに基づいて、前記監視カメラと当該監視カメラによる監視対象のデバイスとを関連付けた管理テーブルを作成して保存する管理工程と
を有することを特徴とする監視方法。
【請求項１２】
要求に応じて第一のモードに切り替える切り替え手段と、
特定のイベントの発生に応じて前記第一のモードから第二のモードに移行する移行手段と、
前記第二のモードにおいて監視対象のデバイスに関するデバイス情報を取得し、有しているカメラ情報とともに、前記監視カメラと当該監視カメラによる監視対象のデバイスとを関連付けた管理テーブルを作成するために管理手段に送信する手段と
してコンピューターを機能させるためのプログラム。
【発明の詳細な説明】
【技術分野】
【０００１】
本発明は、監視カメラおよび監視カメラシステムに関する。とくに画像形成装置と連携する手段、制御方法、ソフトウェア構成、及びプログラムに関する。
【背景技術】
【０００２】
近年、監視システムでは、ネットワークの普及により、ネットワーク接続された各種機器との連携が求められるようになってきている。とくにネットワークカメラの普及により、固定型のカメラに留まらず、自由にパン・チルト・ズーム・ローテーション（以下ＰＴＺ、またはＰＴＺＲ）駆動が可能なネットワークカメラが普及してきており、操作によって広範囲な監視対象をカバーし、セキュリティに用いられるようになってきた。例えば、ネットワークカメラによる監視・録画システムが提供されており、必要に応じてカメラで捉えた映像を録画・蓄積して、セキュリティ上の問題が発生した時に、現在あるいは過去の映像を確認・検索することができる。さらに、いわゆるインテリジェント機能が実現されており、動体検知やいたずら検知など、画像処理によるイベント通知が可能となったり、イベントに応じて検知されたオブジェクトを自動で追尾して撮像するカメラもある。
【０００３】
また、オフィス向けの複合機、プリンターなどの画像形成装置を管理するデバイス管理システムが提供されている。このデバイス管理システムの目的は、設置されている画像形成装置の一覧を管理し、各画像形成装置の利用状況・稼働状況を把握することである。画像形成装置において、コピー・スキャン・プリントといった各機能を、いつ・誰が・どれだけ使用したか等のデータがジョブログとして記録される。デバイス管理システムは、これらのジョブログを収集・集計することによって、カラープリントの比率、両面印刷の比率など、実行されたジョブに関するレポートを提供することができる。また、画像形成装置にエラーが発生した場合、デバイス管理システムがエラー通知を受信することによって、複数の画像形成装置の稼動状態をリモートで一元的に把握し、迅速にメンテナンスをすることができる。
【０００４】
一方で機器に情報を提供する方法として、バーコードやＱＲコード(登録商標)のようなものが一般的に用いられるようになってきている。ＯＣＲのような文字認識によって情報を読み取ること
も可能になってきており、様々な情報の提供ができるようになった。
【０００５】
情報漏えい対策などのために、オフィスにネットワークカメラが導入され、画像形成装置の出力物の持ち去りなどの行為も監視対象となっている環境がある。このような環境においては、監視カメラと画像形成装置を対応付ける必要がある。そのため、例えば画像形成装置などのデバイスが発光したり（特許文献１等参照）、特定のパターンを表示したり（特許文献２等参照）して、それをカメラに検索させ対応付けをするものがある。
【先行技術文献】
【特許文献】
【０００６】
【特許文献１】特開２００７−１０４１４９号公報
【特許文献２】特開２００８−２１１４１２号公報
【発明の概要】
【発明が解決しようとする課題】
【０００７】
しかしながら、監視カメラの台数が増加したり、また監視カメラシステムが大規模化している状況では、例えば同一ネットワーク上に数百、数千の監視カメラが存在する場合がある。また、被監視対象の画像形成装置も多数存在する。
【０００８】
また、ＰＴＺ監視カメラの場合、被監視対象の画像形成装置を好適に監視するためにＰＴＺを適切に設定する必要があるが、広範囲な監視対象の中には複数の画像形成装置が存在し、簡単に好適な設定をすることが難しかった。
【０００９】
本発明は上記従来例に鑑みて成されたもので、監視カメラの数あるいは監視対象の機器の数あるいはその双方が大規模な監視システムにおいても、監視対象の画像形成装置と監視カメラとの連携を好適に行えるシステムを提供することを目的とする。
【課題を解決するための手段】
【００１０】
上記目的を達成するために本発明は以下の構成を有する。すなわち、
監視カメラを第一のモードに切り替える切り替え手段と、
前記第一のモードの監視カメラのうち、選択された監視カメラを第二のモードに移行させる移行手段と、
監視対象のデバイスに関するデバイス情報と前記第二のモードの監視カメラに関するカメラ情報とに基づいて、前記監視カメラと当該監視カメラによる監視対象のデバイスとを関連付けた管理テーブルを作成して保存する管理手段とを有することを特徴とする監視システム。
【００１１】
あるいは他の側面によれば本発明は以下の構成を有する。
【００１２】
要求に応じて第一のモードに切り替える切り替え手段と、
特定のイベントの発生に応じて前記第一のモードから第二のモードに移行する移行手段と、
前記第二のモードにおいて監視対象のデバイスに関するデバイス情報を取得し、有しているカメラ情報とともに、前記監視カメラと当該監視カメラによる監視対象のデバイスとを関連付けた管理テーブルを作成するために管理手段に送信する手段とを有することを特徴とする監視カメラ。
【発明の効果】
【００１３】
本発明によれば、監視カメラの数あるいは監視対象の機器の数あるいはその双方が大規模な監視システムにおいても、監視対象の画像形成装置と監視カメラとの連携を好適に行える。
【００１４】
また設定イベントに応じて、好適な監視カメラプリセットが提供される。
【００１５】
また、クローズドなネットワークで監視システムが構築されていても、好適な監視カメラプリセットが提供される。
【図面の簡単な説明】
【００１６】
【図１】実施形態１のシステム構成およびネットワーク構成を示す図
【図２】実施形態１の情報処理機能ハードウェア構成図
【図３】実施形態１のソフトウェア構成説明およびネットワーク相互接続図
【図４】実施形態１のデバイス管理テーブル、ネットワークカメラ管理テーブルを示す図
【図５】実施形態３のシステム構成およびネットワーク構成を示す図
【図６】実施形態３のソフトウェア構成説明およびネットワーク相互接続図
【図７】実施形態１のカメラオプション管理テーブルを示す図
【図８】実施形態１のプリセット設定管理テーブルを示す図
【図９】実施形態１のフローを説明する図
【図１０】実施形態１のデバイス一覧画面、カメラセットアップ画面を示す図
【図１１】実施形態３のフローを説明する図
【発明を実施するための形態】
【００１７】
［実施形態１］
＜ネットワークシステム及び各機器の構成＞
本実施形態の代表図を図１に示す。図１は、本発明を実施するための監視システムのシステム構成およびネットワーク構成の一例を示している。ネットワーク１０１は、インターネットもしくはイントラネットなどである。ネットワーク機器１０２は、ルータやスイッチなど、ネットワークどうしを接続する。ファイアウォール１０３は、ネットワーク間の通信許可の制御を行う。ＬＡＮ（Ｌｏｃａｌ  Ａｒｅａ  Ｎｅｔｗｏｒｋ）１０５は、コンピューター等の機器を接続する末端のネットワークであるが、有線通信のネットワークに限らず、無線ＬＡＮや携帯電話通信ネットワークなどの無線通信網の場合もある。画像形成装置１１１は画像を紙等の媒体に形成する。画像形成装置１１１には、単機能プリンターであるＳＦＰ、コピー・スキャナー・プリンターの複数機能を備える複合機であるＭＦＰなどの種別が存在する。デバイス管理サーバー１２１はネットワークデバイスを管理する。ネットワークカメラ１３１はネットワークに接続され、撮影した画像をサーバーに送信する。ネットワークカメラ１３１には、レンズや動作機構の違いにより、箱型固定・パンチルト・広角などの種別が存在する。
【００１８】
図２は、画像形成装置１１１、デバイス管理サーバー１２１、ネットワークカメラ１３１の情報処理機能のモジュール構成図を示している。
【００１９】
ユーザーインターフェース２０１は、ディスプレイ、キーボード、マウス、タッチパネルなどによる、情報の入出力を行う。これらのハードウェアを備えないコンピューターは、リモートデスクトップやリモートシェルなどにより、他のコンピューターから接続・操作することも可能である。ネットワークインターフェース２０２は、ＬＡＮなどのネットワークに接続して、他のコンピューターやネットワーク機器との通信を行う。ＲＯＭ２０４には組込済みプログラムおよびデータが記録されている。ＲＡＭ２０５は一時メモリ領域である。二次記憶装置２０６はＨＤＤに代表されるようなファイルストレージである。これを構成に含まず、ＲＡＭ２０５のみで構成してもよい。ＣＰＵ２０３は、ＲＯＭ２０４、ＲＡＭ２０５、二次記憶装置２０６などから読み込んだプログラムを実行する。各部は入出力インターフェース２０７を介して接続されている。
＜本システムのソフトウェア構成及び相互接続状況＞
図３は、本システムのソフトウェア構成およびネットワークを介した相互接続状況を示している。データベース３３１は、デバイス管理サーバー１２１に備えられ、デバイス管理サーバーの各機能に必要なデータを保持する。Ｗｅｂアプリケーション３３２は、Ｗｅｂユーザーインターフェース（以降ＷｅｂＵＩ）３３３およびアプリケーションプログラミングインタフェース（以降ＡＰＩ）３３４を提供する。Ｗｅｂアプリケーション３３２は、ネットワークを経由して、他の機器からのリクエストを処理し、必要に応じてデータベース３３１のデータにアクセスして、各種機能を実行し、応答を返す。ネットワークカメラ１３１の撮像部３２１は、カメラのレンズや撮像素子などを制御して、画像を取得する。映像処理部３２２は、撮像部３２１で取得した原画像に処理を施し、映像データなどに加工する。また、画像認識などの追加処理を行なって、画像あるいは映像から、追加の情報を得る。データ送信部３２３は、映像データをネットワーク上の他の機器に送信する。ＷｅｂＵＩ３２４は、ネットワークカメラのビューワー画面や、管理画面を提供する。ビューワー画面では、カメラで捉えた映像を確認しながら、カメラの向きやズーム、フォーカスなどの操作をすることができる。管理画面では、カメラの撮像位置のプリセット登録、映像処理部３２２で施す処理の指定や、データ送信部３２３が送信する映像データの宛先登録などができる。ＡＰＩ３２５は、他の機器からのリクエストによって、カメラの操作や、設定データ登録などを実施する。設定データ管理部３２６は、撮像部３２１、映像処理部３２２、データ送信部３２３のための設定データを保持する。
【００２０】
アプリケーション３１１は、画像形成装置１１１で実行される。アプリケーション３１１は、その機能や目的に応じて、複数のアプリケーションを画像形成装置１１１内にインストール・実行することができる。例えば、コピー・スキャン・プリントなどを実行するアプリケーションなどが挙げられる。また、ＭＥＡＰなどのミドルウェア上で実現される各種Ｊａｖａ（登録商標）アプリケーションもあり、監視カメラのビューワークライアントも含まれる。ログ記録部３１３は、アプリケーション３１１からの要求に従って、ジョブログ・エラーログ・操作ログなどのログを記録・保管する。ログ送信部３１２は、ログ記録部３１３が記録したログをデバイス管理サーバー１２１に送信する。ネットワークカメラ連携アプリケーション３１４は、ＷｅｂＵＩ３１５、ＡＰＩ呼出部３１６、ローカルＵＩ３１７を備える。ＡＰＩ呼出部３１６は、デバイス管理サーバー３３１のＡＰＩ３３４、ネットワークカメラ１３１のＡＰＩ３２５を呼び出して、必要な処理を実行する。ローカルＵＩ３１７は、画像形成装置１１１のユーザーインターフェース２０１にネットワークカメラ連携アプリケーションの操作画面を提供する。アプリケーション管理部３１８は、画像形成装置１１１内のアプリケーションのインストール・アンインストール・起動・停止などを管理・制御する。
【００２１】
＜各種テーブルの構成＞
図４は、デバイス管理サーバー１２１のデータベース３３１内の各種テーブルを示した説明図である。デバイス管理テーブル４００は、複数台の画像形成装置１１１を管理するためのデータベース３３１内のテーブルである。デバイス管理テーブル４００において、デバイスシリアルＩＤ４０１は、画像形成装置１１１のデバイスシリアルＩＤを格納するカラムである。ＩＰアドレス４０２は、画像形成装置１１１のＩＰアドレスを格納するカラムである。メーカー名４０３はメーカー名を格納するカラムである。機種名４０４は、機種名を格納するカラムである。デバイスタイプ４０５は、ＭＦＰ・ＳＦＰなどのデバイスタイプを格納するカラムである。カラー種別４０６は、画像形成装置１１１がカラー印刷・モノクロ印刷能力を表すカラー種別を格納するカラムである。設置場所情報４０７は、画像形成装置の設置場所情報を格納するカラムである。
【００２２】
デバイスシリアルＩＤ４０１は、画像形成装置の個体を識別する一意のＩＤである。画像形成装置を製造する際に、個体ごとにデバイスシリアルＩＤを付与して、不揮発性の記憶領域に記録しておき、後に画像形成装置自体がデバイスシリアルＩＤを読み出し可能としておく。デバイスシリアルＩＤが分かれば、デバイス情報管理テーブル４００を参照し、画像形成装置の機種名などデバイス管理テーブル４００に登録された必要な情報を特定することができる。画像形成装置１１１は、デバイス管理サーバー１２１の管理対象として登録されるときに、カラム４０１〜４０７の自機の情報を送信し、デバイス管理サーバー１２１は、デバイス管理テーブル４００にレコードを追加する。
【００２３】
ネットワークカメラ管理テーブル４１０は、複数台のネットワークカメラ１３１を管理するためのデータベース３３１内のテーブルである。ネットワークカメラ管理テーブル４１０において、ＩＰアドレス４１１は、ネットワークカメラ１３１のＩＰアドレスを格納するためのカラムである。メーカー名４１２は、メーカー名を格納するカラムである。機種名４１３は、機種名を格納するカラムである。カメラタイプ４１４は、パンチルト・広角・箱型固定などのカメラタイプを格納するカラムである。カメラ名４１５は、ネットワークカメラ１３１の個体ごとに設定されたカメラ名を格納するカラムである。設置場所情報４１６は、ネットワークカメラ１３１の個体ごとの設置場所情報を格納するカラムである。
【００２４】
図７は、デバイス管理サーバー１２１のデータベース３３１内の各種テーブルを説明する図である。カメラオプション管理テーブル７００は、カラム７０１〜７０４を含む。デバイスシリアルＩＤ７０１は、画像形成装置１１１のデバイスシリアルＩＤを格納するカラムである。ＩＰアドレス７０２は、ネットワークカメラ１３１のＩＰアドレスを格納するカラムである。プリセット情報７０３は、ネットワークカメラ１３１のプリセット情報を格納するカラムである。プリセット情報は、カメラの設定のうち予め設定しておく設定値の集合（設定内容）であり、たとえばカメラの方向や焦点距離などがある。監視レベル７０４は、カメラによる画像形成装置の監視レベルを格納するカラムである。監視レベルは、当該カメラにより可能な監視の水準を示す。
【００２５】
録画対象イベント管理テーブル７１０は、録画対象イベント管理テーブルである。ジョブ種別／エラーコード／操作コード７１１は、録画対象イベントのログ種別を格納するカラムである。イベント種別７１２は、録画対象イベントのジョブ種別、エラーコード、操作コードを格納するカラムである。該当する種別のジョブ、またはエラーコードのエラーまたは操作コードの操作が発生すると、カメラからの映像が記録される（すなわち録画される）。
【００２６】
＜カメラ情報登録フロー＞
図９は、ユーザーがローカルＵＩ３１７を用いて、画像形成装置１１１を撮像するネットワークカメラ１３１を特定し、画像形成装置１１１のカメラオプション管理テーブルにカメラ情報を登録するフローを説明する図である。図１０は、ＷｅｂＵＩ３３３、３２４、３１５で提供される画面を説明する図である。
【００２７】
図９において、Ｓ９０１で、ユーザーは画像形成装置１１１のローカルＵＩ３１７を操作して、デバイスセットアップモードを有効化する。Ｓ９１０で、画像形成装置１１１のＡＰＩ呼出部３１６は、ネットワークカメラ１３１のＡＰＩ３２５を呼び出して、複数の（多くの）ネットワークカメラ１３１へ第一の仮セットアップモードへの移行を通知する。この際Ｓ９１１で、ネットワークカメラ１３１の設定データ管理部３２６が変更されて、例えば従来からあるいたずら検知機能を設定イベントとして利用できるようにネットワークカメラ１３１の設定が変更される。このとき、第一の仮セットアップモードは、所定の期間たつとタイムアウトして元の状態にもどるようにしておいてもよい。また後述の第二の本セットアップモードへ別のカメラが移行した際にはその通知を受け、元の状態に戻るようにしてもよい。なおＳ９１１で通知されるネットワークカメラは、画像形成装置１１１とネットワーク接続されたもの全てであってもよいし、また、あらかじめ特定した一部であってもよい。  Ｓ９１２で、設定者が特定のカメラに対して設定イベントとしていわゆるいたずらを行う、つまり例えば撮像面の５０％以上の黒い布で覆うなどすると、当該設定イベントを検出したネットワークカメラ１３１の映像処理部３２３によって、ネットワークカメラ１３１が第二の本セットアップモードへ移行される（Ｓ９１３）。このいたずらとは、換言すれば、特定の画像を監視カメラにより読み込ませることということもできる。したがって黒い布でレンズを覆うことに限らず、特定の画像を読ませることをモード移行のきっかけとすることもできる。設定対象のネットワークカメラは設定者が選択したものであるが、例えば、Ｓ９０１を実行した画像形成装置を撮影視野に収める１または複数のネットワークカメラ１３１が選択される。この際に前述のようにその他のカメラの第一の仮設定アップモードが解除されてもよい。Ｓ９１４で、第二の本セットアップモードに移行されたネットワークカメラ１３１の、ネットワークカメラ管理テーブル４１０に登録される各種情報が、画像形成装置１１１のＡＰＩ呼出部３１６に応答される。画像形成装置１１１では、第２の本セットアップモードに移行したネットワークカメラ１３１から受信した各種情報に基づいてデバイス一覧画面１０００を表示する。
【００２８】
Ｓ９１６で、設定者はデバイス一覧画面１００１からカメラを選択し、選択したカメラを対象として、カメラセットアップ画面１０１０のカメラビューワー画面１０１３を操作して、監視対象の画像形成装置１１１を良好に撮像できるカメラの画角・ズーム倍率などを調節する。Ｓ９１７で、プリセット登録ボタン１０１６を押下すると、Ｓ９１８で、画像形成装置１１１のＡＰＩ呼出部３１６は、ネットワークカメラ１３１のＡＰＩ３２５に対し、プリセット名をパラメータとして、プリセット設定ＡＰＩを呼び出す。Ｓ９１９で、ネットワークカメラ１３１の設定データ管理部３２６は、図８に示すプリセット設定管理テーブル８００に、新規レコードを追加し、プリセット名８０２、カメラビューワー画面１０１３で設定したカラム８０３〜８０６の各設定値、すなわちパン、チルト、ズーム、フォーカスモードを設定し、プリセット番号を返却する。なおセットアップ対象のカメラや雲台の自由度に制限されている項目があれば、設定可能な項目を対象とする。
【００２９】
次にＳ９２０で、ＡＰＩ呼出部３１６は、ＡＰＩ３３４を呼び出して、デバイスシリアルＩＤ、プリセット設定を実行したカメラのＩＰアドレス、プリセット番号、監視レベルをデバイス管理サーバー１２１へ通知する。Ｓ９２１で、Ｗｅｂアプリケーション３３２は、データベース３３１内のカメラオプション管理テーブル７００にレコードを追加し、Ｓ９２０で受信した各値を追加したレコードの該当するカラム７０１〜７０４に保存する。すなわち、監視対象のデバイス（画像形成装置）と監視カメラとを関連付けたテーブルを作成して保存する。Ｓ９２２で、その結果、たとえば成功や不成功といった結果を画像形成装置１１１に応答する。
【００３０】
Ｓ９２３で、応答を受信した画像形成装置１１１はデバイスセットアップモードを無効化する。Ｓ９２４で、ＡＰＩ呼出部３１６は、ネットワークカメラ１３１のＡＰＩ３２５を呼び出して、ネットワークカメラ１３１へセットアップモードの解除を通知する。Ｓ９２５で、解除の通知に応じて、ネットワークカメラ１３１はセットアップモードを解除し、ネットワークカメラ１３１、画像形成装置１１１、デバイス管理サーバー１２１は、定常状態に戻される。
【００３１】
以上の構成及び手順で、デバイス管理サーバー１２１のカメラオプション管理テーブル７００などの情報を元に、監視される画像形成装置１１１に対応する監視カメラ１３１を容易に把握することが可能となる。すなわちカメラオプション管理テーブル７００では、デバイスシリアルＩＤとネットワークカメラＩＰアドレスを対応付けることで、監視対象のデバイスとそれを監視するカメラとが関連付けられている。一例として、デバイス管理サーバー１２１のＷｅｂＵＩ３３２で提供されるデバイス一覧画面１０００（不図示のクライアント端末で表示される）から、所望するデバイスを選択すると、当該デバイスのデバイスシリアルＩＤによりカメラオプション管理テーブル７００を検索することで、当該デバイスに関連付けたネットワークカメラが特定される。そこで、監視開始ボタン１００２を押下することで、当該デバイスと関連付けられたネットワークカメラ１３１のカメラビューワー１０１３を起動させることが可能となる。  以上のように、本実施形態では、多くの監視カメラ１３１が同一ネットワーク上に存在する場合でも、容易に画像形成装置１１１と対応付けることができ、好適な監視が行える。
【００３２】
［実施形態２］
実施形態１では、設定イベントとしていたずら検知を用いたがこれに限るものではない。本実施形態では、実施形態１のＳ９１３で監視カメラが第二の本セットアップモードに移行される際に、自動追尾させることで、より好適で容易な設定を提供する。本実施形態のフローは実施形態１の図９のフローとほぼ同様であるが、Ｓ９１３が異なるものである。自動追尾機能は、ネットワークカメラ１３１が単独で備えてもよいし、後述する第３実施形態のようにカメラ管理サーバーを持つシステムであれば、そのカメラ監視サーバーにより実現することもできる。
【００３３】
Ｓ９１２で、設定者が特定のカメラに対して設定イベントを行うと、ネットワークカメラ１３１の映像処理部３２３によって、ネットワークカメラ１３１が第二の本セットアップモードへ移行される（Ｓ９１３）。この際に、設定データ管理部３２６により、監視カメラは従来からあるような自動追尾のモードに変更され、映像処理部３２２の追尾処理に応じてＡＰＩ３２５にカメラ制御要求が出され、パン・チルト・ズームなどが制御される。そこで設定者が設定イベントを実施する際に、たとえば設定者（すなわち操作者）自身がカメラに捉えられるような位置で操作を行うことで、設定者が画像形成装置１１１に戻って次のＳ９１６でカメラビューワーを操作するまでが、カメラにより追尾される。
【００３４】
こうすることで、画像形成装置１１１に戻った設定者がカメラビューワーを操作する際には、既に画像形成装置１１１の位置まで戻った自分が捉えられており、Ｓ９１７のプリセット登録が容易に済ませることができる。
【００３５】
［実施形態３］
実施形態１，２では、ネットワークカメラ１３１を第一の仮設定モードに移行するために、画像形成装置がネットワーク経由で通知を行っていたがこれに限る物ではない。本実施形態では、画像形成装置１１１とネットワークカメラ１３１が異なるネットワークに接続され、直接通信できない場合でも好適な設定を提供するものである。
【００３６】
図５は、本実施形態のシステム構成およびネットワーク構成の一例を示している。実施形態１の図１のネットワーク構成との違いは、ネットワークカメラ１３１が画像形成装置１１１とは異なるネットワークに、独立して存在しており、カメラ管理サーバー１３４が監視カメラネットワークに接続されているところである。
【００３７】
図６は、本実施形態のソフトウェア構成およびネットワークを介した相互接続状況を示しており、実施形態１の図３と同様だが、カメラ管理サーバー１３４が加えられ、デバイス管理サーバー１２１とネットワークカメラ１３１との間に介在している。図６において、データベース３４１は、カメラ管理サーバー１３４に備えられ、カメラ管理サーバー１３４の各機能に必要なデータを保持する。Ｗｅｂアプリケーション３４２は、Ｗｅｂユーザーインターフェース（以降ＷｅｂＵＩ）３４３およびアプリケーションプログラミングインタフェース（以降ＡＰＩ）３４４を提供する。Ｗｅｂアプリケーション３４２は、ネットワークを経由して、他の機器からのリクエストを処理し、必要に応じてデータベース３４１のデータにアクセスして、各種機能を実行し、応答を返す。
【００３８】
図１１は、本実施形態において、ユーザーがローカルＵＩ３１７を用いて、画像形成装置１１１を撮像するネットワークカメラ１３１を特定し、画像形成装置１１１のカメラオプション管理テーブルにカメラ情報を登録するフローを説明する図である。
【００３９】
Ｓ１１０１は、実施形態１の図９のＳ９０１と同様の処理である。Ｓ１１０２で、画像形成装置１１１は、デバイス管理テーブル４００に登録されているデバイスシリアルＩＤ４０１〜設置場所４０７などのデバイス情報を、従来からあるバーコードやＱＲコード（登録商標）ないしは文字認識可能な情報として印刷する。
【００４０】
Ｓ１１１０で、カメラ管理サーバー１３４のＷｅｂＵＩ３４３からの指示で、ネットワークカメラ１３１のＡＰＩ３２５を呼び出して、複数の（多くの）ネットワークカメラ１３１へ第一の仮セットアップモードへの移行が通知される。
【００４１】
Ｓ１１１１は、実施形態１の図９のＳ９１１と同様の処理である。Ｓ１１１２は、実施形態１の図９のＳ９１２と同様の処理である。ただし、いたずら検知させるにあたって、画像形成装置１１１で印刷されたデバイス情報を監視カメラ１３１にかざして読み取らせる。Ｓ１１１３で、ネットワークカメラ１３１の映像処理部３２３によって、ネットワークカメラ１３１が第二の本セットアップモードへ移行されると、従来からある画像認識によってカメラで読み取った情報を解析してデバイス情報を得る。また、実施形態２と同様に自動追尾させてもよい。この場合、対象物、すなわちカメラにかざされた情報を追尾し、設定者がそれを下して検知されなくなったときにプリセット位置を固定させる。こうすることで、設定者が画像形成装置１１１まで歩き、たとえネットワークがつながっていなくともかざしていた情報が下ろされたことをきっかけに、画像形成装置１１１の位置を監視カメラ１３１に知らせることができる。Ｓ１１１４で、第二の本セットアップモードに移行されたネットワークカメラ１３１の、ネットワークカメラ管理テーブル４１０に登録される各種情報と、デバイス管理テーブルに登録されている相当のデバイス情報が、カメラ管理サーバー１３４のＡＰＩ３４４に応答される。
【００４２】
Ｓ１１１６で、設定者はカメラ管理サーバー１３４が提供するカメラセットアップ画面１０１０のカメラビューワー画面１０１３を操作して、監視対象の画像形成装置１１１を良好に撮像できるカメラの画角・ズーム倍率などを調節する。あるいは、自動追尾で設定されているプリセットの結果を確認して修正する。Ｓ１１１７で、プリセット登録ボタン１０１６を押下すると、Ｓ１１１８で、Ｗｅｂアプリケーション３４２からの指示で、ＡＰＩ３２５に対し、プリセット名をパラメータとして、プリセット設定ＡＰＩを呼び出す。Ｓ１１１９は、実施形態１の図９のＳ９１９と同様の処理である。次にＳ１１２０で、Ｗｅｂアプリケーション３４２の指示で、ＡＰＩ３３４を呼び出して、デバイスシリアルＩＤ、プリセット設定を実行したカメラのＩＰアドレス、プリセット番号をデバイス管理サーバー１２１へ通知する。ここでデバイスシリアルＩＤは、Ｓ１１１４でネットワークカメラ１３１から得たデバイス情報に含まれた情報である。
【００４３】
Ｓ１１２１とＳ１１２２は、実施形態１の図９のＳ９２１，Ｓ９２２と同様の処理である。
【００４４】
Ｓ１１２３で、画像形成装置１１１のデバイスセットアップモードを無効化する。Ｓ１１２４で、Ｗｅｂアプリケーション３４２の指示で、ネットワークカメラ１３１のＡＰＩ３２５を呼び出して、ネットワークカメラ１３１へセットアップモードの解除が通知される。
【００４５】
Ｓ１１２５で、ネットワークカメラ１３１のセットアップモードが解除され、ネットワークカメラ１３１、画像形成装置１１１、デバイス管理サーバー１２１は、定常状態に戻される。
【００４６】
こうすることで、ネットワークカメラ１３１と画像形成装置１１１とが異なるネットワークに属しているため直接通信できない場合でも、ネットワークカメラ１３１で画像形成装置１１１を好適に監視するプリセット登録をすることができる。
【図１】
2015109613.tif 000003
【図２】
2015109613.tif 000004
【図３】
2015109613.tif 000005
【図４】
2015109613.tif 000006
【図５】
2015109613.tif 000007
【図６】
2015109613.tif 000008
【図７】
2015109613.tif 000009
【図８】
2015109613.tif 000010
【図９】
2015109613.tif 000011
【図１０】
2015109613.tif 000012
【図１１】
2015109613.tif 000013